(57)【特許請求の範囲】
【請求項１】
補強壁を構成する壁面材の挙動を計測する、壁面材の挙動計測システムであって、
前記壁面材に上下方向に沿って取り付ける傾斜体と、
前記傾斜体の傾斜角度を計測する傾斜計と、
前記壁面材の表面に固定する固定部材と、を有し、
前記固定部材は、前記壁面材の上端付近に取り付ける上部固定部材と、下端付近に取り付ける下部固定部材と、からなり、
前記傾斜体は、上下に接する前記壁面材のそれぞれの前記上部固定部材どうしまたは前記下部固定部材どうしに回動自在に取り付けられ、
前記傾斜体の傾斜角度から前記傾斜体の変化量を計測し、
前記傾斜体の変化量から前記壁面材の挙動を計測することを特徴とする、壁面材の挙動計測システム。
【請求項２】
請求項１に記載の壁面材の挙動計測システムであって、
前記傾斜計と接続し、前記傾斜角度のデータを記録する記録計と、
前記傾斜計と前記記録計とに給電するための太陽電池と、を有する、壁面材の挙動計測システム。
【発明の詳細な説明】
【技術分野】
【０００１】
本発明は、盛土の補強に用いる補強壁を構成する壁面材の挙動を計測する、壁面材の挙動計測システムに関するものである。
【背景技術】
【０００２】
従来、補強土壁を構築して盛土を補強する場合、複数の壁面材を積み重ねて壁面を形成し、その背面に盛土を行う。
複数の壁面材で構成した補強壁は、供用後、盛土の土圧などにより、補強壁全体が傾いたり、壁面材単体で動いたり、さまざまな挙動をみせる。
このような壁面材の挙動の計測は、トータルステーションなどを用いて人手で計測することが一般的である。
【発明の概要】
【発明が解決しようとする課題】
【０００３】
従来の人手による壁面材の挙動計測には、以下のような問題点があった。
（１）現場での計測作業が必要となるため、時間もコストもかかり不経済である。
（２）現場での計測作業の安全を確保する必要がある。
（３）計測値を人手でまとめる必要があるため、補強壁の補修計画の立案に時間がかかる。
【０００４】
本発明は、壁面材の様々な挙動を自動で計測・管理することができる壁面材の挙動計測システムを提供することを目的とする。
【課題を解決するための手段】
【０００５】
上記目的を達成するためになされた本願の第１発明は、補強壁を構成する壁面材の挙動を計測する、壁面材の挙動計測システムであって、前記壁面材に上下方向に沿って取り付ける傾斜体と、前記傾斜体の傾斜角度を計測する傾斜計と、前記壁面材の表面に固定する固定部材と、を有し、前記固定部材は、前記壁面材の上端付近に取り付ける上部固定部材と、下端付近に取り付ける下部固定部材と、からなり、前記傾斜体は、上下に接する前記壁面材のそれぞれの前記上部固定部材どうしまたは前記下部固定部材どうしに回動自在に取り付けられ、前記傾斜体の傾斜角度から前記傾斜体の変化量を計測し、前記傾斜体の変化量から前記壁面材の挙動を計測する、壁面材の挙動計測システムを提供する。
本願の第２発明は、第１発明の壁面材の挙動計測システムであって、前記傾斜計と接続し、前記傾斜角度のデータを記録する記録計と、前記傾斜計と前記記録計とに給電するための太陽電池と、を有する、壁面材の挙動計測システムを提供する。
【発明の効果】
【０００６】
本発明は、上記した課題を解決するための手段により、次のような効果の少なくとも一つを得ることができる。
（１）壁面材の傾斜を上部と下部それぞれで計測することにより、様々な壁面材の挙動を計測することができる。
（２）取り付けた傾斜計の数値を自動で計測・管理するものであるため、現場での計測作業が不要となる。
（３）現場での計測作業が不要となり、時間もコストも削減できる。
（４）現場での計測作業が不要となり、安全性が向上する。
（５）計測値を自動で計測・管理するため、補強壁の補修計画を迅速に立案・実施できる。
【図面の簡単な説明】
【０００７】
【図１】壁面材の挙動計測システムの斜視図
【図２】傾斜体および固定部材の分解斜視図
【図３】上部固定および下部固定の説明図
【図４】上部固定の変位量の計測図
【図５】下部固定の変位量の計測図
【図６】壁面材の変位量の計測図（１）
【図７】壁面材の変位量の計測図（２）
【図８】壁面材の変位量の計測図（３）
【図９】壁面材の変位量の計測図（４）
【発明を実施するための形態】
【０００８】
以下、図面を参照しながら本発明の実施の形態について説明する。
【実施例】
【０００９】
＜１＞全体構成
本発明の壁面材の挙動計測システムは、壁面材Ａに沿って取り付ける傾斜体１と、傾斜体１の傾斜角度を計測する傾斜計２と、傾斜体１を壁面材Ａに取り付けるための固定部材３と、からなる（図１）。
【００１０】
＜２＞傾斜体
傾斜体１は、壁面材Ａの高さとほぼ同じ長さの長尺状の部材である。
傾斜体１には傾斜計２を取り付ける（図２）。
傾斜体１の両端付近には長孔１１を設ける。
【００１１】
＜３＞傾斜計
傾斜計２は傾斜体１に取り付けて一体とする。
傾斜計２は傾斜体１の傾斜に追従し、傾斜体１の傾斜角度を計測する。
傾斜計２は、傾斜センサ２１と、傾斜センサ２１を内包する保護体２２と、からなる。
保護体２２は傾斜センサ２１を保護するものであり、例えば塩化ビニル管からなる。
傾斜計２の傾斜センサ２１はケーブル２１１によって計測ボックス４に接続する。
【００１２】
＜４＞固定部材
固定部材３は、壁面材Ａに取り付ける壁面取付部３１と、壁面取付部３１から立ち上げた傾斜体取付部３２と、からなる。
固定部材３には、壁面材Ａの上端付近に取り付ける上部固定部材３ａと、下端付近に取り付ける下部固定部材３ｂと、がある（図１、３）。上部固定部材３ａと下部固定部材３ｂとは、それぞれが上下に位置する壁面材Ａで直線上の位置に取り付ける。
固定部材３の傾斜体取付部３２は、ピンを介して傾斜体１の長孔１１と係合する。これにより、傾斜体１は固定部材３に対して回動する。
傾斜体１と固定部材３の係合位置は、上下に接する壁面材Ａの接合高さと略同一とする。
【００１３】
＜５＞傾斜体の動作
図４、５は壁面材Ａの一枚のみが水平に張り出した場合の図である。
図４は、壁面材Ａの上端付近に取り付けた上部固定部材３ａに、傾斜計２を取り付けた傾斜体１ａを取り付けている。
このとき、張り出した壁面材Ａは一枚のみで、上下の壁面材Ａに取り付けた上部固定部材３ａは移動せず、張り出した壁面材Ａに取り付けた上部固定部材３ａのみが前方に移動する。
傾斜体１ａは長孔１１に挿通したピンを介して、上部固定部材３ａに回動自在に取り付けられているため、上部固定部材３ａの張り出しに合わせて傾斜する。
壁面材Ａの張り出しにより、上下の上部固定部材３ａ間の距離は長くなるが、傾斜体１ａには長孔１１が設けられているため、傾斜体１ａは追従して傾斜可能である。
そして、傾斜体１ａの傾斜を傾斜計２で計測することで、図４ｂのような傾斜体１ａの変位量ａが求められる。
【００１４】
図５は、壁面材Ａの下端付近に取り付けた下部固定部材３ｂに、傾斜計２を取り付けた傾斜体１ｂを取り付けている。
このとき、下部固定部材３ｂが図４の上部固定部材３ａと同様に張り出して、傾斜体１ｂが下部固定部材３ｂの張り出しに合わせて傾斜する。
そして、傾斜体１ｂの傾斜を傾斜計２で計測することで、図５ｂのような傾斜体１ｂの変位量ｂが求められる。
【００１５】
＜６＞変化量の重ね合わせ
補強壁の最下端を固定点として図４、５の場合の張り出しの変化量ａ、ｂを重ね合わせる（図６）。
すると、張り出した壁面材Ａの上下の変化量ａ、ｂの差異（水平量）が近似していることが分かる。
これにより、壁面材Ａが傾斜せず、水平に張り出していることが計測できる。
【００１６】
図７は、壁面材Ａの一枚のみが傾斜して張り出した場合である。
このときは、上部固定部材３ａは前方に移動するが、下部固定部材３ｂは移動しないため、変化量ａ、ｂは図のとおりとなる。
このとき、張り出した壁面材Ａの上下の水平量は差異が大きいことが分かる。
これにより、壁面材Ａが傾斜して張り出していることが計測できる。
【００１７】
以上のことから、上下の水平量が近似している場合には壁面材Ａは水平に張り出しており、水平量の差異が大きい場合には壁面材Ａが傾斜して張り出していることが計測できるため、図８のように複合して張り出している場合でも各壁面材Ａの張り出しを計測できる。
【００１８】
図９のように、壁面材Ａが交互に傾斜して張り出している場合には、水平量の差異が表れない。
このような場合には変化量ａ、ｂどおりに壁面材Ａが張り出していることがわかる。
【００１９】
このように、取り付けた傾斜計の計測値により壁面材Ａの張り出しを計測・管理できるため、現場での計測作業が不要となり、時間もコストも削減できる。
また、現場での作業が減ることにより、安全性が向上する。
【００２０】
＜７＞計測値の収集
傾斜計２はケーブル２１１によって計測ボックス４に接続されている。
計測ボックス４内には記録計４１があり、任意の間隔で傾斜計２の計測値を記録する。
また、計測ボックス４内には通信機器を設けて、任意の間隔で計測値を無線通信する。
計測ボックス４には太陽電池４２を取り付けて、太陽電池４２により記録計４１や通信機器に給電してもよい。
無線通信により、計測値を自動で計測・管理することにより、補強壁の補修計画を迅速に立案・実施することができる。
【符号の説明】
【００２１】
１      傾斜体
１１    長孔
２      傾斜計
２１    傾斜センサ
２１１  ケーブル
２２    保護体
３      固定部材
３ａ    上部固定部材
３ｂ    下部固定部材
４      計測ボックス
４１    記録計
４２    太陽電池
【図１】
0006438914.tif 000002
【図２】
0006438914.tif 000003
【図３】
0006438914.tif 000004
【図４】
0006438914.tif 000005
【図５】
0006438914.tif 000006
【図６】
0006438914.tif 000007
【図７】
0006438914.tif 000008
【図８】
0006438914.tif 000009
【図９】
0006438914.tif 000010